Podtech/llm-jp-corpus-v4-ja_patent huggingface dataset:
(57)【要約】【課題】集魚効果の高くするための細く長いシャンクを使用しながら、それに反する性能、例えば耐久性、遠投性能、バランスの良いスピナーベイトを提供する。【解決手段】アッパーアームとクローズドアイを三角形に形成し、ロアアームとヘッドの角度が１８０度になるシャンクを用いる。【選択図】　　図１
2004089030.tif 000002
【特許請求の範囲】
【請求項１】
アイ部分とアッパーアーム部分に三角型のシャンクを有するスピナーベイト
【発明の詳細な説明】
【０００１】
【発明の属する技術分野】
本発明はバス釣りに使用するルアーの一種であるスピナーベイトに関するものである。
【０００２】
【従来の技術】
従来のスピナーベイトは簡潔な構造のＬ字型のシャンクを有している。
【０００３】
【発明が解決しようとする課題】
キャスト時で進行方向にアッパーアームが向くため、空気のすり抜けが悪く、向かい風や遠投には不向きであった。
【０００４】
又、リトリーブ時には糸、アイ、アッパーアーム、ブレードがほぼ一直線となるため、ヘッドのバランスが必要となり、ロアアームとヘッドに角度ができ、魚が掛かった瞬間に一直線になろうとする力が働き、シャンクが伸びてしまい、回数を重ねると破損の原因になる。
【０００５】
従来のスピナーベイトのアイはＳ字型のオープンアイを多様しているため、上記同様に負荷が掛かると伸びて、破損の原因になる。
【０００６】
しかし、ねじってリングを作るクローズドアイは伸びる事は無くなっても、接合部分に糸が食い込み、糸が切れる事がある。
【０００７】
又、オープンアイ、クローズドアイどちらとも低重心化が図れず、高速リトリーブ時にバランスを崩し、全体が回転してしまう。
【０００８】
【課題を解決するための手段】
本発明は空気のすり抜けを目的とした三角型アッパーアームと、ロアアームとヘッドの直線化、糸の食い込み防止、耐久性、低重心化、を目的とした三角型クローズドアイを用いたこと特徴とする。
【０００９】
【発明の実施の形態】
図において、ヘッド１に結合されるシャンク２は三角型クローズドアイ２ａを形成し、延長上にビーズ５、クレビス６、スイベル７、ブレード８ａ、８ｂが設けられている三角型アッパーアームが形成され、末端部は三角型クローズドアイ２ａと三角型アッパーアーム２ｂを連結するリング状になっている。
【００１０】
【発明の効果】
キャスティング時にシャンク２の末端部分が進行方向と逆に向いているため、空気のすり抜けが良く、飛行姿勢が安定し飛距離が延びる。
【００１１】
糸１０を三角型クローズドアイ２ａの点２ｄに結合し、リトリーブすると糸１０の延長上に点２ｄから点２ｃまでの中央軸４ａが発生し、点２ｃを中心とした、点２ｃから点２ｄまでの半径からなる円周４ｃと三角型アッパーアームの末端部の延長線が交わる点４ｂを表すと、高低差の距離３ｃがもとめられる。本発明は、従来のスピナーベイトより距離３ｃの低重心化を図ることができ、バランスの良さを向上させた。
【００１２】
三角型クローズドアイは従来のクローズドアイの耐久性を持ちながら難点であった食い込みによる糸切れを防ぐため、糸の結束部分２ｂまでの距離を延ばすことで糸切れの問題を解決した。又、距離を延ばす事で、上記のバランスの向上の効果もある。
【００１３】
リトリーブ時に発生する中央軸４ａの効果により、角度３ａを狭め、角度３ｂを広げる事が出来た。これにより、ヘッド、シャンク間の耐久性が増し、更に、従来のスピナーベイトより細いシャンクを用いる事が可能になった。
【００１４】
製造の段階で２ｃと５の間を狭めることで８ａと２が接触し、音を発生する。
【図面の簡単な説明】
【図１】本発明によるスピナーベイトの実施例、発明の効果を示す側面図。
【符号の説明】
１　　ヘッド
２　　シャンク
２ａ　三角型クローズドアイ
２ｂ　三角型アッパーアーム
２ｃ　４ａの末端
２ｄ　糸の結束部
３ａ　アッパーアームとロアアームの角度
３ｂ　ロアアームとヘッドの角度
３ｃ　２ｄ−４ｂ間の距離
４ａ　中央軸（糸の延長線）
４ｂ　三角型クローズドアイの延長線と４ｃが交わる点
４ｃ　２ｃを中心とした円周
５　　ビーズ
６　　クレビス
７　　スイベル
８ａ　フロントブレード
８ｂ　リアブレード
９　　スカート
１０　糸
【図１】
2004089030.tif 000003
(57)【要約】　　【課題】調理用油等の各種油の長期間に亙る再利用を可能とし、省資源化や環境汚染防止に寄与することのできる実用性に優れた油濾し器を実現する。　【解決手段】濾し器本体２に油濾し部材８が内挿されると共に、該油濾し部材８は、濾紙、織布、又は不織布で形成されたフィルタ１１が第１の網部９と第２の網部１０との間に介装されている。また、油濾し部材８には把持部１２が設けられている。　【選択図】図１
2004089728.tif 000002
【特許請求の範囲】
【請求項１】
　複数段の網部を備えた油濾し部材が濾し器本体に内挿された油濾し器であって、
　前記油濾し部材は、前記複数段の網部間にフィルタが介装されていることを特徴とする油濾し器。
【請求項２】
　前記フィルタが、濾紙、織布、及び不織布のうちのいずれかで形成されていることを特徴とする請求項１記載の油濾し器。
【請求項３】
　前記油濾し部材が把持部を有していることを特徴とする請求項１又は請求項２記載の油濾し器。
【発明の詳細な説明】
【技術分野】
【０００１】
　本発明は油濾し器に関する。
【背景技術】
【０００２】
　天麩羅油等の調理用油に混入した残滓等の不純物を除去するための油濾し器としては、従来より、濾し器本体に複数段のワイヤメッシュを重合状に収容したものが知られている（特許文献１）。
【０００３】
　特許文献１では、上段、中段、下段からなる３段のワイヤメッシュを設けると共に、ワイヤメッシュの網目を上段から下段方向に行くに従って細かくすることにより、油を前記ワイヤメッシュで濾過し、これにより天麩羅油等の調理用油に混入した残滓等の不純物を除去し、前記調理用油を再利用しようとしている。
【０００４】
【特許文献１】特開２００１−１３７１３５号公報
【発明の開示】
【発明が解決しようとする課題】
【０００５】
　しかしながら、上記特許文献１では、ワイヤメッシュで調理用油を濾過しているものの、ワイヤメッシュの網目を細かくするには限界がある。したがって、特許文献１では、或る程度の目開きを有するワイヤメッシュを介して濾過されるため、極微小な不純物は濾過されずに調理用油中に混入してしまい、このため調理用油を長期間に亙って何回も再利用することはできないという問題点があった。
【０００６】
　本発明はこのような問題点に鑑みなされてものであって、調理用油等の各種油を長期間に亙って何回も繰り返して再利用することができ、省資源化や環境汚染防止に貢献することができる実用性に優れた油濾し器を提供することを目的とする。
【課題を解決するための手段】
【０００７】
　上記目的を達成するために本発明に係る油濾し器は、複数段の網部を備えた油濾し部材が濾し器本体に内挿された油濾し器であって、前記油濾し部材は、前記複数段の網部間にフィルタが介装されていることを特徴としている。
【０００８】
　また、本発明の油濾し器は、前記フィルタが、濾紙、織布、及び不織布のうちのいずれかで形成されていることを特徴としている。
【０００９】
　さらに、本発明の油濾し器は、前記油濾し部材が把持部を有していることを特徴としている。
【発明の効果】
【００１０】
　上記構成によれば、油濾し部材が、濾紙、織布、或いは不織布等で形成されたフィルタを複数段の網部間に介装してなるので、油はワイヤメッシュに比べて極細目のフィルタにより濾過されることとなり、したがって不純物が排除された高純度で清浄な油のみを容易に回収することができる。すなわち、回収された油には、不純物が混入しておらず、長期間に亙って何回も繰り返し再利用することができ、したがって省資源化や環境汚染防止等に貢献することが可能となり、また新規な油を購入することによる経済的損失を減ずることができる。
【００１１】
　また、油濾し部材が把持部を有しているので、該把持部を把持してフィルタを濾し器本体から容易に取り出すことができ、したがってフィルタの交換や清掃も簡単に行なうことができ、利便性に優れ、実用性に優れた油濾し器を実現することができる。
【発明を実施するための最良の形態】
【００１２】
　次に、本発明の一実施の形態を図面に基づき詳説する。
【００１３】
　図１は本発明に係る油濾し器の一実施の形態を示す断面図である。
【００１４】
　本油濾し器は、底部１を有する筒状の濾し器本体２の内部にロート状の油受け３が設けられると共に、前記濾し器本体２の側面適所に取手４、５が設けられている。また、濾し器本体２の上面には蓋体２０が開蓋閉蓋自在に冠着されると共に、該濾し器本体２の下部側面には排出口６が設けられ、該排水口６は盲蓋７により閉蓋されている。
【００１５】
　そして、油濾し部材８が、前記濾し器本体２に内挿され、かつ、該濾し器本体２の先端は、ロート状の油受け３の先端に係止されている。
【００１６】
　該油濾し部材８は、具体的には、メッシュ状の網目を有する第１及び第２の網部９、１０と、第１の網部９と第２の網部１０との間に介装されたフィルタ１１と、接着剤等により第１の網部９に固着された把持部１２とを有している。
【００１７】
　そして、前記第２の網部１０及び前記フィルタ１１は、把持部１２からの着脱が容易となるように該把持部１２に遊嵌されると共に、前記フィルタ１１は、極微小な不純物でも濾過できるように、濾紙、織布、又は不織布で形成されている。
【００１８】
　このように構成された油濾し器においては、料理等で使用済みとなり、不純物が混入している天麩羅油等の調理用油が上方から濾し器本体２に投入されると、第２の網部１０で比較的大きな不純物が除去され、次いで、フィルタ１１で極微小な不純物が除去され、該フィルタ１１で濾過された清浄な調理用油のみが油受け３から下方に落下し、貯蔵される。そして、盲蓋７を排出口６から取り外すことにより、貯蔵された油の回収を行なうことができる。
【００１９】
　そして、このようにして回収された調理用油は、フィルタ１１で濾過されているので、上述の操作を繰り返すことにより同一の調理用油を長期間に亙って何回も再利用することができる。また、濾過操作により第２の網部１０やフィルタ１１上に残滓が堆積した場合は、把持部１２を把持して油濾し部材８を濾し器本体２から取り出し、前記第２の網部１０やフィルタ１１を交換又は清掃することにより、油濾し器を再度所望の濾過操作に供することができる。
【００２０】
　このように本油濾し器では、微小な不純物をも除去することができ、純度の高い清浄な調理用油を効率よく回収することができるので、省資源化に寄与することができると共に、廃油処理の観点からは環境汚染防止にも効果的であり、さらに、調理用油を再購入する必要性も極端に減ずることができ、経済的損失を防止することもできる。
【００２１】
　尚、本発明は上記実施の形態に限定されるものではない。濾し器本体２は、一体物として構成しても、２つ以上の部品の組立品で構成してもよい。また、第１の網部９と把持部１２との固着方法についても任意の方法を使用することができる。また、油種についても、調理用油以外の各種油にも適用を拡げることができるのはいうまでもない。
【図面の簡単な説明】
【００２２】
【図１】本発明に係る油濾し器の一実施の形態を示す断面図である。
【符号の説明】
【００２３】
２　　濾し器本体
８　　油濾し部材
９　　第１の網部
１０　第２の網部
１１　フィルタ
１２　把持部
【図１】
2004089728.tif 000003
(57)【要約】【課題】ヘッドのホーゼルポケット付近で打撃した際に生じるいわゆるシャンクを防止し、打球が右方向へ飛び出すのを防止すると共に、ホーゼル部への衝撃によるヘッドの変形や破損を防止する。【解決手段】ゴルフボールをフェース面とホーゼルポケットの両方に触れるように位置させた場合に、ボールとクラブヘッドの間に隙間を生じないようホーゼルポケット部の曲率半径を大きくしたアイアンゴルフクラブにかかるものであり、その曲率半径はボールの半径である約２１ｍｍ以上としたものである。【選択図】　　　　　図２
2004089574.tif 000002
【特許請求の範囲】
【請求項１】
ゴルフボールをフェース面とホーゼルポケットの両方に触れるように位置させた場合に、ボールとクラブヘッドの間に隙間を生じないようホーゼルポケット部の曲率半径を大きくしたことを特徴とするアイアンゴルフクラブ。
【請求項２】
曲率半径が２１ｍｍ以上である請求項１に記載のアイアンゴルフクラブ。
【発明の詳細な説明】
【０００１】
【発明の属する技術分野】
本発明はアイアンゴルフクラブに関する。
【０００２】
【従来の技術】
アイアンヘッドは、ボールを打撃するフェース面を含むヘッド本体とシャフトを接合する部分であるホーゼル部からなっており、平面であるフェース面と円筒形であるホーゼル部を繋ぐ曲面部分をホーゼルポケットと言い、フェース面の平面部分を出来るだけ広くするため、ホーゼルポケット部を小さく、あるいは出来る限りホーゼル側に寄せるのが一般的アイアンヘッド設計の考え方であった。
【０００３】
【発明が解決しようとする課題】
しかしながら、従来の設計ではホーゼルポケット部の曲率半径が小さく、ホーゼルポケット付近で打撃してしまういわゆるシャンクが出た場合に、ボールが大きく右へ飛んでしまうこととなる。本発明　は、斯かる実情に鑑み、シャンクしてもボールが右へ飛び難いアイアンゴルフクラブを提供しようとするものである。
【０００４】
【課題を解決するための手段】
本発明はゴルフボールをフェース面とホーゼルポケットの両方に触れるように位置させた場合に、ボールとクラブヘッドの間に隙間を生じないようホーゼルポケット部の曲率半径を大きくしたアイアンゴルフクラブにかかるものであり、その曲率半径はボールの半径である約２１ｍｍ以上としたものである。
【０００５】
【発明の実施の形態】
図２は発明を実施する形態の一例、図３は従来例である。従来例の場合は、図３のようにホーゼルポケット付近で打撃するとボールがホーゼルに当たり、ボールは大きく右へ飛び出していくが、本発明の場合は図２のようにホーゼルポケット付近で打撃してもボールはホーゼルには当たらず、ボールはそれほど右へは飛び出していかない。
【０００６】
本発明は、いわゆるシャンクが起こりやすいショートアイアンやウエッジに特に好適である。
尚、本発明のアイアンゴルフクラブは、上記した実施の形態に限定されるものではなく、本発明の要旨を逸脱しない範囲内において種々変更を加え得ることは勿論である。
【０００７】
【発明の効果】
以上、説明したように本発明の請求項１〜２記載のアイアンゴルフクラブによれば、いわゆるシャンクを防止し、ボールが右方向へ飛ぶことを防止すると共に、ホーゼル部に衝撃を加えて生じるアイアンヘッドの変形や破損を防止するという優れた効果を奏し得る。
【図面の簡単な説明】
【図１】一般的アイアンヘッドの正面図である。
【図２】本発明の実施例であり、フェース面を紙面に垂直にした方向から見た図である。
【図３】従来のアイアンヘッドであり、フェース面を紙面に垂直にした方向から見た図である。
【符号の説明】
１　ホーゼルポケット
２　フェース面
３　ホーゼル
４　ボール
【図１】
2004089574.tif 000003
【図２】
2004089574.tif 000004
【図３】
2004089574.tif 000005
(57)【要約】【課題】人体の足部を振動及び磁力線により刺激する足温浴器を提供する。【解決手段】上面に開口部１を有し、所定温度の水２が充填される容器３内に、永久磁石片４ｃが内蔵される個体４が、複数個積み置かれ、人体の足部５が乗せられる。容器３に設けられる交流電磁石８は、交流電流により励磁されるコイル６が巻き回される鉄芯７を備え、交流磁力線を発生し、個体４を振動させて、接触される足部５を刺激する。足部５のクリーニング効果も得られる。【選択図】　　　　　　　　図１
2004089505.tif 000002
【特許請求の範囲】
【請求項１】
上面に開口部を有し、所定温度の水が充填される容器と、
永久磁石が内蔵され、前記容器内に複数個、積み置かれ、人体の足部が乗せられる個体と、
前記容器の外側底面に設けられ、交流電流により励磁されるコイルが巻き回される鉄芯を備え、交流磁力線を発生する交流電磁石と、から成り、
前記交流磁力線により前記個体を振動させて前記足部を刺激することを特徴とする足温浴器。
【請求項２】
前記個体の表面は凹凸状に形成される請求項１記載の足温浴器
【発明の詳細な説明】
【０００１】
【発明の属する技術分野】
本発明は、湯を用いて足を暖める足温浴器に関する。
【０００２】
【従来の技術】
従来、例えば、特開２００１−１３７３０９において、足温浴器が提案されている。
上述の従来例は、上面が開口した樹脂製内容器の外側底面に発熱体等を取り付け、制御体により湯温を所定温度範囲内に制御できる、また内容器の内側底面に、健康増進のため青竹踏み突起を有する足乗せ台を取り出し自在に収納した足温浴器で、清掃性の向上と、さらに足乗せ台の裏面に磁石を設け、これに対向する内容器の外側底面にこの磁石の磁力により動作するリードスイッチを設けて、足乗せ台を取り外したときには発熱体には通電されないことで低温火傷の防止とを図るものである。
【０００３】
【発明が解決しようとする課題】
そこで、本発明は、人体の足部を振動及び磁力線により刺激する足温浴器を提供することを目的とする。
【０００４】
【課題を解決するための手段】
請求項１の本発明は、上面に開口部を有し、所定温度の水が充填される容器と、永久磁石が内蔵され、前記容器内に複数個、積み置かれ、人体の足部が載せられる個体と、
前記容器の外側底面に設けられ、交流電流により励磁されるコイルが巻き回される鉄芯を備え、交流磁力線を発生する交流電磁石と、から成り、
前記交流磁力線により前記個体を振動させて前記足部を刺激することを特徴とする足温浴器である。
【０００５】
請求項２の本発明は、前記個体の表面は凹凸状に形成される請求項１記載の足温浴器である。
【０００６】
請求項１の本発明によれば、図１に示されるように、容器３は、上面に開口部１を有し、所定温度の水２が充填され、個体４は、永久磁石片４ｃが内蔵され、容器３の内側底部に複数個積み置かれ、人体の足部５が乗せられる。
このため、足部５は、永久磁石４ｃから発生する磁力線による刺激が得られる。交流電磁石８は、容器３の外側底部に設けられ、交流電流により励磁されるコイル６が巻き回される鉄芯７を備え、交流磁力線を発生する。
このため、交流磁力線により永久磁石片４ｃが内蔵される個体４を振動させて足部５を刺激し、足部５をクリーニングすることもできる。
【０００７】
請求項２の本発明によれば、図２に示されるように、個体４は、表面が凹凸状に形成され、足部５と接触するときの摩擦力が高まる。
このため、個体４が足部５に接触されることにより、マッサージ効果とクリーニング効果が得られる。
【０００８】
【発明の実施の形態】
以下、本発明を、図面を参照して、その実施の形態に基づいて説明する。
図１に示されるように、容器３は、上面に開口部１を有し、所定温度の水２が充填される。　容器３は、好適にはプラスチックから成るが、その材質は限定されない。
個体４は、図２に示されるように、一対の殻部４ｂから成り、永久磁石片４ｃが内蔵され、容器３の内側底部に複数個積み置かれ、人体の足部５が乗せられる。このため、足部５は、永久磁石４ｃから発生する磁力線による刺激が得られる。個体４は、殻部４ｂの表面は溝４ａにより凹凸状に形成され、足部５と接触するときの摩擦力が高まる。
このため、個体４が足部５に接触されることにより、マッサージ効果とクリーニング効果が得られる。　容器３内の水に入浴剤９を加えることで、足部５のクリーニング効果をさらに高めることもできる。
また、凹凸状の構造としては、好適には溝４ａに形成されるが、突起状でも良く、その形状は限定されない。　殻部４ｂの材料は、好適にはプラスチックから成るが、材質は限定されない。殻部４ｂの内蔵体の材料は、永久磁石４ｃが好適であるが、鉄を含む磁性体であれば良く、その材質は限定されない。
次に、交流電磁石８は、容器３の外側底部に設けられ、ほぼコ字状に形成される鉄芯７と、鉄芯７の両腕部に各々、ボビン１０を介して巻き回わされ、交流電源が通電されることにより鉄芯７に磁力線を発生させるコイル６とから成る。さらに、この交流電磁石８は、格納容器１１に収納される。
このため、交流磁力線により永久磁石片４ｃが内蔵される個体４を振動させて足部５を刺激し、足部５をクリーニングすることもできる。
【０００９】
【発明の効果】
本発明は、以上説明したように、人体の足部を振動及び磁力線により刺激することができる。
【図面の簡単な説明】
【図１】本発明の一実施の形態の横断面図である。
【図２】図２（ａ）は、図１に示す実施の形態の斜視図である。
図２　（ｂ）は、図２（ａ）に示す実施の形態のＡ―Ａ矢視図である
【符号の説明】
１　　開口部　　　　　　　２　　所定温度の水
３　　容器　　　　　　　　４　　個体
４ａ　　溝　　　　　　　　４ｂ　　殻部
４ｃ　　永久磁石　　　　　　　５　　人体の足部
６　　コイル　　　　　　　７　　鉄芯
８　　交流電磁石　　　　　９　　入浴剤
１０　　ボビン　　　　　　　１１　　格納容器
【図１】
2004089505.tif 000003
【図２】
2004089505.tif 000004
(57)【要約】【課題】従来の松葉杖は、下端部及び、グリップ周辺に取り付けられたねじによって松葉杖の長さを調整し、体の大きさに関係せずに使用できる松葉杖であって、脇あて、両主体パイプ及び、グリップが一体に固定していることを特徴とする松葉杖であったが椅子への腰掛や椅子からの立ち上がりが非常に困難で危険なものだった。本発明は、この問題を解消し、安全に立ち上がりや腰掛が行える松葉杖を提供する。【解決手段】本発明の松葉杖を可折式にすることにより、自分の力のみで体を持ち上げることを特徴とする。【特許請求の範囲】
【請求項１】
数個のねじ穴を有する杖部にグッリップとリベット接続された脇あてからなる可折式松葉杖であって杖部上方先端部に固着されたグリップを握り使用者から遠ざけてり近づけたりすることにより椅子への腰掛けや立ち上がりが容易に行える機構を持つ可折式松葉杖。
【発明の詳細な説明】
【０００１】
【発明が属する技術分野】
本発明は、医療用具、介護用具、及び歩行補助器具の松葉杖に関するものである。
【０００２】
【従来の技術】
従来の松葉杖として特開平０７−３２８０８４がある。松葉杖の下端部及び、グリップ周辺に取り付けられたねじによって松葉杖の長さを調整し、体の大きさに関係せずに使用できる松葉杖であって、脇あて、両主体パイプ及び、グリップが一体に固定していることを特徴とする松葉杖である。
【０００３】
【発明が解決しようとする課題】
しかしながら、従来の歩行補助器具、松葉杖は中心となる一本の棒から可折されないため椅子などへの腰掛け及び、立ち上がりが非常に困難でかつ無理に腰掛け及び、立ち上がりを行おうとすると体の体勢が不安定になり、松葉杖使用者である障害者、けが人等が使用するには、危険にさらされるという問題点があった。
本発明は、松葉杖中腹部を折ることが可能で、椅子への腰掛けが、簡単な運動で安全かつ正確に行える可折式松葉杖を提供することを目的とする。
【０００４】
【課題を解決するための手段】
本発明者らは、上記課題を鋭意検討した結果、本発明を完成するに至った。すなわち、本発明の可折式松葉杖は椅子からの立ち上がりや椅子への腰掛けが安全かつ容易、正確に行える松葉杖であって、可折式松葉杖の脇あて部が折れ、腰掛けやすく、立ち上がるときにも、グリップを使用者のほうへ引き付けることにより立ち上がりの動作が容易に行える。
【０００５】
本発明の可折式松葉杖の杖部の下端部は、径の異なる内側の管と外側の管からなる二重構造であり、内側及び、外側の管に可折式松葉杖の足部の長さを調節するためのねじ穴を有すると共に足部上端部は、脇あてと外側の管とをリベット接続によりたがいを連結する。
【０００６】
【発明の実施の形態】
以下、図面によって本発明の実態の形態について説明する。
本発明の可折式松葉杖の分解図を図１に示す。可折式松葉杖の正面図を図２に示す。可折式松葉杖の折り曲げ時の図を図３に示す。可折式松葉杖の側面図を図４に示す。可折式松葉杖の正面断面図を図５に示す。本発明の脇あて１６０は、現在市販されている医療用松葉杖の脇あてと同型のものを使用してもよい。また、脇あて固定棒４０をブイ字管２７０の穴５０に装着する。
【０００７】
本発明の松葉杖脇あて支持部２７０はブイ字型の管を使用し支持部２０の両中腹部に固定用のリベット穴９０を設け、リベット２０により凸型の板８０を装着する。支持部の最下部にリベット２７０により、杖部１４０のリベット穴５とをリベット接続する。
【０００８】
本発明のグリップ１１０は、杖部１４０の上端に、グリップ６０を装着したものとする。
【０００９】
本発明のグリップ１７０は、棒７０の中心長手方向にめねじ１８０を設け、杖部とおねじ１３０で固着し、グリップ６０を装着したものとする。
【００１０】
本発明の杖部１４０は上端部にグリップ１１０を設け、グリップ１１０の下部に固定用のリベット穴９０を設けリベット２０により、杖部１４０の上方より３分の１程度の場所に脇あて部１５０と杖部１４０を、凸字型の板８０で穴１０及びリベット２７０によりリベット接続する。さらにその下方にグリップ１７０を装着する為のねじ穴１９０を４つ設けグリップ１７０を装着し、杖部１４０の下端部より足部２１０の高さ調節のねじ穴２００を有することとし、ねじ２４０及び、ナット２５０を使用して足部２１０と杖部１４０を固着する。
【００１１】
本発明の足部２１０は、杖部１４０よりも径が細い管３０を使用し足部２１０の上方先端部より、数センチメートルの場所に杖部との固定用のねじ穴２００を有し、足先端部２３０を杖最下端部２２０に挿入でき、下方先端部にすべり止め２６０を設ける。
【００１２】
本発明の足部２１０の中腹部には、杖部からの落下防止の止め具１００を設ける。
【００１３】
【発明の効果】
本発明は以上説明したように構成されているので以下に記されるような効果を有する。
松葉杖を可折式にすることによって、安全に椅子からの立ち上がりや、椅子への腰掛が行える。
【図面の簡単な説明】
【図１】本発明に係る可折式松葉杖の分解図である。
【図２】上記可折式松葉杖の正面図である。
【図３】可折式松葉杖の折り曲げ時の正面図である。
【図４】可折式松葉杖の側面図である。
【図５】可折式松葉杖の正面断面図である。
【符号の説明】
１０　　穴
２０　　リベット
３０　　管
４０　　脇あて固定棒
５０　　穴
６０　　グリップ
７０　　棒
８０　　凸字型の板
２６０　　すべり止め
９０　　リベット穴
１００　　落下防止止め具
１１０　　グリップ
２７０　　リベット
１２０　　ヴイ字管
１３０　　おねじ
１４０　　杖部
１５０　　脇あて部
１６０　　脇あて
１７０　　グリップ
１８０　　めねじ
１９０　　ねじ穴
２００　　高さ調整ねじ穴
２１０　　足部
２２０　　杖最下端部
２３０　　足先端部
２４０　　ねじ
２５０　　ナット
【図１】
2004089509.tif 000002
【図２】
2004089509.tif 000003
【図３】
2004089509.tif 000004
【図４】
2004089509.tif 000005
【図５】
2004089509.tif 000006
(57)【要約】【課題】一度に塗布できる面積の拡大を図るとともに残存圧に起因した内容物の排出を防止する。【解決手段】内容物を収納する容器本体と、この容器本体の口部に装着されその外表面に容器本体の内側に通じる複数の開孔を有する塗布ヘッドと、容器本体内に収納された内容物を押し上げて塗布ヘッドの開孔を通して排出させる繰り出し機構を備えた容器において、前記容器本体と塗布ヘッドの相互間に、内容物の押し上げ通路につながりそれよりも大きな開口面積を有する空間領域を形成する。【選択図】　　　　図２
2004089406.tif 000002
【特許請求の範囲】
【請求項１】
内容物を収納する容器本体と、この容器本体の口部に装着されその外表面に容器本体の内側に通じる複数の開孔を有する塗布ヘッドと、容器本体内に収納された内容物を押し上げて塗布ヘッドの開孔を通して排出させる繰り出し機構を備えた容器であって、
前記容器本体と塗布ヘッドの相互間に、内容物の押し上げ通路につながりそれよりも大きな開口面積を有する空間領域を形成してなる、ことを特徴とする繰り出し容器。
【発明の詳細な説明】
【０００１】
【発明の属する技術分野】
本発明は、容器本体内に収納した内容物を塗布ヘッドの表面上に押し出して該内容物の塗布を可能とする繰り出し容器に関するものであって、内容物を押し出したときに生じる残存圧に起因した必要以上の排出を確実に防止するとともに、容器の大型化を招くことなしに一度の塗布動作のもとでより広い面積の塗布を可能としようとするものである。
【０００２】
【従来の技術】
粘度が比較的高い固形あるいはクリーム状の内容物（例えば制汗等）を塗布ヘッドに適量排出して直接塗布することができる繰り出し容器は、容器本体内に収納、保持した内容物を塗布ヘッドの開孔部分から押し出すことができるように、その底部に繰り出し機構が組み込まれている。
【０００３】
この繰り出し機構は、内容物を保持する中皿とこの中皿に一体的に連結するスクリューロッドとこのスクリューロッドに係合してその回動にて中皿をスクリューロッドとともに塗布ヘッドに向けてスライドさせる回転部材にて構成されていて、回転部材の回転度合いによって排出量の調整が行なえるようになっている。
【０００４】
ところで、従来の繰り出し容器は、容器本体内の断面積と塗布ヘッドの面積がほぼ近似となっており、サイズのコンパクト化を図る観点から一度に塗布できる面積を大きくするのに困難があるうえ、中皿をスライドさせて内容物を排出した場合、ほぼ同一面積であるがため、開口面積が自ずと制限されてしまい、押出し量と塗布面積とのバンランスが取りづらく、内容物を塗布面に対して均一に塗布することができないところに問題を残していた。
【０００５】
本発明の課題は、容器本体部分のサイズの大型化を抑制しつつ一度に塗布できる面積の拡大を図るとともに、押出し量と塗布面積とのバランスを容易に取り得る新規な構造について提案するところにある。
【０００６】
【課題を解決するための手段】
本発明は、内容物を収納する容器本体と、この容器本体の口部に装着されその外表面に容器本体の内側に通じる複数の開孔を有する塗布ヘッドと、容器本体内に収納された内容物を押し上げて塗布ヘッドの開孔を通して排出させる繰り出し機構を備えた容器であって、
前記容器本体と塗布ヘッドの相互間に、内容物の押し上げ通路につながりそれよりも大きな開口面積を有する空間領域を形成してなる、ことを特徴とする繰り出し容器である。
【０００７】
【発明の実施の形態】
以下、図面を参照して本発明をより具体的に説明する。
図１は本発明に従う繰り出し容器の構成を模式的に示したものである。
【０００８】
図１において１は内容物を収納する容器本体である。この容器本体１は外容器１ａと外容器１ａの内側に配置され内容物を収納するとともにその押し上げ通路Ｃを形成する内容器１ｂからなる。
【０００９】
また、２は容器本体１の口部に例えばアンダーカットの如きにて装着される塗布ヘッドであり、この塗布ヘッド２にはその外表面には容器本体１の内側に通じる複数の開孔２ａが設けられている。
【００１０】
３は容器本体１の下端に組み込まれた繰り出し機構、４は塗布ヘッド２を覆い隠すように容器本体１に着脱可能に取り付けられるオーバーキャップ、５は容器本体１と塗布ヘッド２の相互間に形成された空間領域である。この空間領域５は内容物の押し上げ通路Ｃにつながりそれよりも大きな開口面積を有している。図２に内容器１ｂの外観斜視図を示す。
【００１１】
上記の構成部材のうち、繰り出し機構３は、内容物を保持し内容器１ｂの押し上げ通路Ｃに沿って摺動可能な中皿３ａと、この中皿３ａの下端で一体につながるスクリューロッド３ｂと、このスクリューロッド３ｂにねじ係合する押し上げ部材３ｃにて構成されており、押し上げ部材３ｃのダイヤル部分を回転させて押し上げ部材３ｃに係合するスクリューロッド３ｂを中皿３ａとともに塗布ヘッド２に向かって押し上げていくことにより、内容物が塗布ヘッド２の開孔２ａから排出される。
【００１２】
内容物の押し上げ始めに際して該内容物が空間領域５に達すると、内容物の押し上げに係る圧力はそこで急速に低下するため、内容物の排出を停止しても残存圧によって内容物が開孔２ａから必要以上に排出されることはなくなる。また、押し上げに係わる内容物は塗布ヘッド２に到達する前に該空間領域５にて図３に示すようにその全域にひろがっていくため容器本体１の径のサイズアップを図らずとも塗布面積の拡大を図ることが可能になる。さらには、塗布ヘッド２の径を拡大することにより、開口部面積を広く取ることが可能となり、押出し量と塗布面積とのバランスの調整が容易となる。
【００１３】
空間領域５については、本発明の実施の形態では上掲図３の如く内容器１ｂの先端部分を拡大して形成する場合について示したが、本発明はこれにのみ限定されるものではない。
【００１４】
【発明の効果】
本発明によれば、容器のサイズを最小限に留めつつ、一度に塗布できる面積の拡大を図ることができる。
【００１５】
また、押出し量と塗布面積とのバランスを容易に調整することが可能であり、内容物を無駄なく均一に塗布することができる。
【図面の簡単な説明】
【図１】本発明に従う繰り出し容器の構成を模式的に示した図である。
【図２】容器本体の外観斜視図である。
【図３】内容物の排出状況を示した図である。
【符号の説明】
１　容器本体
１ａ　外容器
１ｂ　内容器
２　塗布ヘッド
２ａ　開孔
３　繰り出し機構
３ａ　中皿
３ｂ　クスリューロッド
３ｃ　押し上げ部材
４　オーバーキャップ
５　空間領域
Ｃ　押し上げ通路
【図１】
2004089406.tif 000003
【図２】
2004089406.tif 000004
【図３】
2004089406.tif 000005
(57)【要約】【課題】歪みを発生する非直線素子と同じ素子を使用して、簡単に歪みを相殺する。【解決手段】高周波伝送路１と、高周波伝送路１から高周波信号を分岐すると共に、高周波信号のレベルに比例した直流電圧を生成する検波回路３とを有し、検波回路は整流用の第一のダイオード３ａと、平滑回路３ｂとを少なくとも有し、直流カットコンデンサ６を介して第二のダイオード５を第一のダイオード３ａに逆向きに並列接続して、二つのダイオード３ａ、５に常に同じ大きさの電圧を逆向きに印加し、それらから逆向きの位相の歪みを発生させて相殺する。【選択図】        図１
2004343241.tif 000002
【特許請求の範囲】
【請求項１】
高周波伝送路と、前記高周波伝送路から高周波信号を分岐すると共に、前記高周波信号のレベルに比例した直流電圧を生成する検波回路とを有し、前記検波回路は整流用の第一のダイオードと、平滑回路とを少なくとも有し、直流カットコンデンサを介して第二のダイオードを前記第一のダイオードに逆向きに並列接続したことを特徴とする歪み補正回路。
【請求項２】
前記第一のダイオードと前記第二のダイオードとを同一規格のものとしたことを特徴とする請求項１に記載の歪み補正回路。
【発明の詳細な説明】
【０００１】
【発明の属する技術分野】
この発明は、非直線素子の存在によって発生する歪みを低減するための歪み補正回路に関する。
【０００２】
【従来の技術】
図２は従来の歪み補正回路を示す。２次歪み発生回路２００と３次歪み発生回路３００と増幅器４００とが直列に接続される。２次歪み発生回路２００は所定の方向の向きに配置されてバイアス電流が流れるダイオード２１０によって２次歪みを発生する。３次歪み発生回路３００は信号に対して異なる方向の向きに配置された二つのダイオード３１０、３２０にバイアス電流を流し３次歪みを発生する。
【０００３】
増幅器４００自体も２次歪みと３次歪みとを発生するが、増幅器４００で発生した２次歪みの位相と２次歪み発生回路２００で発生した２次歪みの位相とを互いに逆相とし、増幅器４００で発生した３次歪みの位相と３次歪み発生回路３００で発生した３次歪みの位相とを互いに逆相とすることで互いに相殺すれば増幅器４００で発生した２次歪み及び３次歪みを補正できる（例えば、特許文献１参照。）。
【０００４】
【特許文献１】
特開２０００−２５２７５７（図１、図２）
【０００５】
【発明が解決しようとする課題】
上記の歪み補正回路では、増幅器の歪みの位相や大きさに合わせて歪み発生回路から出力される歪みの位相と大きさとを合わせる必要が有るので、設定が極めて困難である。また、各歪み発生回路を信号の伝送路に直列に挿入するので、信号ロスを伴うという欠点がある。よって、高周波信号を分岐して検波する際に発生する歪みを補正するような場合には上記のような複雑な補正回路を使用することは不経済である。
【０００６】
本発明は、歪みを発生する非直線素子と同じ素子を使用して、簡単に歪みを相殺することを目的とする。
【０００７】
【課題を解決するための手段】
上記の課題に対して、本発明では高周波伝送路と、前記高周波伝送路から高周波信号を分岐すると共に、前記高周波信号のレベルに比例した直流電圧を生成する検波回路とを有し、前記検波回路は整流用の第一のダイオードと、平滑回路とを少なくとも有し、直流カットコンデンサを介して第二のダイオードを前記第一のダイオードに逆向きに並列接続した。
【０００８】
また、前記第一のダイオードと前記第二のダイオードとを同一規格のものとした。
【０００９】
【発明の実施の形態】
本発明の歪み補正回路を図１に示す。高周波伝送路１には、例えば、受信信号あるいは送信信号等の高周波信号が伝送される。高周波信号は分岐抵抗２によって分岐され検波回路３に入力される。検波回路３は整流用の第一のダイオード３ａと、平滑回路３ｂとからなる。平滑回路３ｂからは高周波信号のレベルに比例したプラスの直流電圧が出力され、これはオペアンプ４によって直流増幅される。
【００１０】
第一のダイオード３ａのカソードには第二のダイオード５のアノードが接続され、第二のダイオード５のカソードは直流カットコンデンサ６によって第一のダイオード３ａのアノードに接続される。従って、第一のダイオード３ａと第二のダイオード６とは高周波的に並列接続され、しかもそれらのＰＮ接合の方向が逆向きとなる。
【００１１】
以上の構成において、第一のダイオード３ａは高周波信号の正の半サイクルで導通して平滑回路３ｂを充電するが、このとき、第二のダイオード５には同じ大きさの信号が逆向きに（カソード側から）印加される。次の半サイクルでは、第一のダイオード３ａはカットオフとなり第二のダイオードのカソードに負の電圧が印加される。即ち。二つのダイオード３ａ、５には常に同じ大きさの電圧が逆向きに印加される。従って、それらから発生する歪みの位相も逆向きとなって相殺される。しかも。第二のダイオード５のカソードが直流カットコンデンサ６によって第一のダイオード３ａのアノードに接続されているので、平滑回路３ｂに充電されていた電圧が高周波信号路１の方向に放電することはない。
【００１２】
以上のように、二つのダイオード３ａ、５は高周波的に並列接続され、しかも、ＰＮ接合の方向が互いに逆向きとなるように接続されているので、印加される高周波信号によって発生する歪みの大きさが同じとなり、位相が逆向きとなる。なお、第一のダイオード３ａと第二のダイオード５とは同一の規格のものでることが望ましい。
【００１３】
【発明の効果】
以上説明したように、本発明は、高周波伝送路と、高周波伝送路から高周波信号を分岐すると共に、高周波信号のレベルに比例した直流電圧を生成する検波回路とを有し、検波回路は整流用の第一のダイオードと、平滑回路とを少なくとも有し、直流カットコンデンサを介して第二のダイオードを第一のダイオードに逆向きに並列接続したので、二つのダイオードには常に同じ大きさの電圧を逆向きに印加され、それらから逆向きの位相の歪みが発生するので互いに相殺される。
【００１４】
また、第一のダイオードと第二のダイオードとを同一規格のものとしたので、二つのダイオードからは同じ大きさの歪みが発生し、また、位相も完全に逆相となるので歪み成分が完全にうち消される。
【図面の簡単な説明】
【図１】本発明の歪み補正回路の構成を示す回路図である。
【図２】従来の歪み補正回路の構成を示す回路図である。
【符号の説明】
１  高周波伝送路
２  分岐抵抗
３  検波回路
３ａ  第一のダイオード
３ｂ  平滑回路
４  オペアンプ
５  第二のダイオード
６  直流カットコンデンサ
【図１】
2004343241.tif 000003
【図２】
2004343241.tif 000004
(57)【要約】【課題】パネルの円形孔に装着したグロメットの遮音特性を向上させる。【解決手段】グロメット本体１には電線束Ｗが挿通され、カバー部材２をパネルの円形孔に当てがって押し込むことにより、カバー部材２、裁頭円錐部１ｆは円形孔を潜り抜け、これらはその弾発性により復元し、グロメットがパネルに対し前後移動不能にかつ水密に固定されることとなる。小径筒部１ａ、１ｃにおいて電線束Ｗは十分に緊締されているが、大径筒部１ｂ内においては電線束Ｗの周囲に余剰空間部が存在する。電線束Ｗの隙間を通って入り込む雑音の多くは衝撃波であるので、周波数特性にも依存するが、音圧はこの余剰空間部において平滑され、他方向にはあまり伝達されることはない。【選択図】        図１
2004343890.tif 000002
【特許請求の範囲】
【請求項１】
電線束を挿通するための円筒部と周囲にパネルの円形孔に嵌合するための環状溝とを有するゴム製のグロメットにおいて、前記円筒部は両側に小径円筒部、中間に余剰空間部を内部に有する大径円筒部を形成したことを特徴とするグロメット。
【請求項２】
前記小径円筒部は前記電線束を緊締する径とした請求項１に記載のグロメット。
【請求項３】
前記大径円筒部と小径円筒部との境界部にオリフィス状のひれ部を形成した請求項１に記載のグロメット。
【発明の詳細な説明】
【０００１】
【産業上の利用分野】
本発明は、パネルに挿通する電線束等を保護すると共に、パネルの内外を水密に保持するグロメットに関するものである。
【０００２】
【従来の技術】
この種の多くのグロメットは合成ゴムを主体とし、例えば自動車等のエンジンルームと運転席とを仕切るパネルの円形孔に取り付けられ、円筒部に電線束を挿通することによりパネルの内外を通線する電線束の損傷を防止すると共に、パネル内外の防水性を確保している。
【０００３】
【発明が解決しようとする課題】
しかし、このグロメットに挿通した電線束の電線間には多数の隙間があり、パネルの一方側、例えばエンジンルームで生ずる音が運転席側に伝達され易い。
【０００４】
本発明の目的は、上述した問題点を解消し、通過してくる雑音を大径円筒部において遮音するグロメットを提供することにある。
【０００５】
【課題を解決するための手段】
上記目的を達成するための本発明に係るグロメットは、電線束を挿通するための円筒部と周囲にパネルの円形孔に嵌合するための環状溝とを有するゴム製のグロメットにおいて、前記円筒部は両側に小径円筒部、中間に余剰空間部を内部に有する大径円筒部を形成したことを特徴とする。
【０００６】
【発明の実施の形態】
本発明を図示の実施例に基づいて詳細に説明する。
図１は電線束を挿通したグロメットをパネルに取り付けた状態の断面図、図２は正面図、図３は側面図を示している。柔軟な合成ゴムから成るグロメット本体１は、電線束を挿通し緊締する第１の小径筒部１ａと、大径筒部１ｂ、第２の小径筒部１ｃが順次に連設されている。大径筒部１ｂは外側に球体状に膨出し、電線束を挿通した場合においても余剰空間部が形成されるようになっている。また、大径筒部１ｂの外周側にフランジ部１ｄが形成され、その外周に環状溝１ｅが形成されている。また、フランジ部１ｄの周囲の第２の小径筒部１ｃ側に裁頭円錐部１ｆが形成されている。そして、大径筒部１ｂと第１の小径筒部１ａとの内部間にひれ部１ｇがオリフィス状に形成されている。なお、このひれ部１ｇは大径筒部１ｂの両側に設けてもよい。
【０００７】
カバー部材２は例えば硬質の合成樹脂又は金属から成り、略円環状とされ、グロメット本体１の裁頭円錐部１ｆのほぼ全面を覆っている。このカバー部材２の外表面には、放射状に多数の凹凸部２ａが設けられており、カバー部材２はこれらの凹凸部２ａ間の線分２ｂに沿って屈曲し得るようにされている。
【０００８】
グロメット本体１には電線束Ｗが挿通され、図４に示すようにカバー部材２をパネルＰの円形孔Ｐａに当てがって押し込むことにより、カバー部材２は凹凸部２ａが円形孔Ｐａの内縁を滑動しながら、凹凸部２ａ間の線分２ｂを折り込むことにより外径をすぼめると、グロメット本体１の裁頭円錐部１ｆも外径がすぼまることになる。
【０００９】
更に押し込むと、カバー部材２、裁頭円錐部１ｆは円形孔Ｐａ内を潜り抜け、これらはその弾発性により復元し、点線で示すように環状溝１ｅが円形孔Ｐａの内縁に係合する。これにより、電線束Ｗを保持したグロメットがパネルＰに対し前後移動不能にかつ水密に固定されることとなる。
【００１０】
ここで、小径筒部１ａ、１ｃにおいて電線束Ｗは十分に緊締されているが、大径筒部１ｂ内においては電線束Ｗの周囲に空間部が存在する。電線束Ｗの隙間から入ってくる雑音の多くは衝撃波であるので、周波数特性にも依存するが、音圧はこの空間部において平滑され、他方にはあまり伝達されることはない。
【００１１】
また、ひれ部１ｇは大径筒部１ｂに入り込む音波又は大径筒部１ｂから出てゆく音波を遮断する効果があり、遮音性能はより向上する。
【００１２】
【発明の効果】
以上説明したように本発明に係るグロメットは、大径筒部内の電線束の周囲に空間部を設けることにより、音圧を平滑化して遮音特性を持たせる。
【図面の簡単な説明】
【図１】実施の形態の断面図である。
【図２】正面図である。
【図３】側面図である。
【図４】グロメットをパネルに取り付ける場合の説明図である。
【符号の説明】
１  グロメット本体
１ａ、１ｃ  小径筒部
１ｂ  大径筒部
１ｄ  フランジ部
１ｅ  環状溝
１ｆ  裁頭円錐面
１ｇ  ひれ部
１２  カバー部材
【図１】
2004343890.tif 000003
【図２】
2004343890.tif 000004
【図３】
2004343890.tif 000005
【図４】
2004343890.tif 000006
(57)【要約】【課題】簡単な構造で高圧出力に垂下特性を持たせることができる高圧電源を提供する。【解決手段】巻線トランス１、出力平滑用高圧コンデンサ２、高圧コンデンサ放電用高圧抵抗３、短絡保護用出力端抵抗４、高圧出力端子５を備えた高圧電源において、短絡保護用出力端抵抗４として数十ＭΩの高圧抵抗を用いる。【選択図】        図１
2004343917.tif 000002
【特許請求の範囲】
【請求項１】
巻線トランス、出力平滑用高圧コンデンサ、高圧コンデンサ放電用高圧抵抗、短絡保護用出力端抵抗、高圧出力端子を備えた高圧電源において、前記短絡保護用出力端抵抗として数十ＭΩの高圧抵抗を用いることを特徴とする高圧電源。
【発明の詳細な説明】
【０００１】
【発明の属する技術分野】
本発明は、例えばマイナスイオン発生装置などに用いる巻線トランス、出力平滑用高圧コンデンサ、高圧コンデンサ放電用高圧抵抗、短絡保護用出力端抵抗、高圧出力端子を備えた高圧電源に係り、特に高圧出力に垂下特性を持たせる技術に関するものである。
【０００２】
【従来の技術】
従来のマイナスイオン発生装置用の高圧電源では、高圧負荷の異常による負荷変動ならびに負荷短絡等による負荷の破損、損焼を防止するために電流制限回路（過電流保護回路）が内蔵されている。
【０００３】
図２は、従来例に係るこの種の高圧電源の回路構成図である。同図に示すようにこの高圧電源は、巻線トランス１、出力平滑用高圧コンデンサ２、高圧コンデンサ放電用高圧抵抗３、高圧出力端子５、短絡保護用出力端抵抗１０などを備えている。
【０００４】
通常の高圧電源では出力を安定させるために前記出力平滑用高圧コンデンサ２が内蔵されており、負荷の短絡時に出力平滑用高圧コンデンサ２からの放電電流を制限するために前記短絡保護用出力端抵抗１０が出力端に接続されている。
【０００５】
図中の７は入力電流検出回路、８は電流制御回路、９はドライブ回路、１１は定電圧制御回路、１２は停止回路、１３は異常判定回路、１４は負荷電流検出回路、１５はグランド端子である。
【０００６】
一般にある高圧出力にて負荷の異常で負荷抵抗値が小さくなった場合、ある出力電流を超えた点で出力が停止し、これ以上の電流が流れないように保護している。また、負荷異常により電源の入力電流が増大した場合、この入力電流を検出しドライブのベース電流を制御し高圧出力を下げるようにしている。これらは負荷の異常時に定格電流以上の電流が供給され、負荷が発熱、発火に至るのを防ぐためである。
【０００７】
【発明が解決しようとする課題】
従来の高圧電源において、前記出力端抵抗１０は出力平滑用高圧コンデンサ２の短絡保護用とし数百ＫΩ程の抵抗であったため、負荷接続時に加わる電位も小さく耐圧の小さい抵抗を使用していた。そのため高圧出力に垂下特性を持たせることができなかった。この高圧出力に垂下特性を持たせるためには、部品点数が増え、そのために大型化し、重量も重くなるとともにコスト高を招くという欠点を有している。
【０００８】
本発明の目的は、このような従来技術の欠点を解消し、簡単な構造で高圧出力に垂下特性を持たせることができ、部品点数の少ない安価で小型の高圧電源を提供することにある。
【０００９】
【課題を解決するための手段】
前記目的を達成するために本発明は、巻線トランス、出力平滑用高圧コンデンサ、高圧コンデンサ放電用高圧抵抗、短絡保護用出力端抵抗、高圧出力端子を備えた高圧電源において、前記出力端抵抗として数十ＭΩの高圧抵抗を用いることを特徴とするものである。
【００１０】
【発明の実施の形態】
以下、本発明の実施の形態を図面に基づいて説明する。
図１は、本発明の実施の形態に係るマイナスイオン発生装置用の高圧電源の回路構成図である。本発明の高圧電源は図に示すように、巻線トランス１、出力平滑用高圧コンデンサ２、高圧コンデンサ放電用高圧抵抗３、短絡保護兼用高圧抵抗４、高圧出力端子５、高圧負荷６、ドライブ回路９、定電圧制御回路１１、停止回路１２、異常判定回路１３、負荷電流検出回路１４、グランド端子１５などを備え、図に示すような接続関係になっている。
【００１１】
高圧電源の出力は高圧出力端子５の電位である。これは出力が無負荷の場合は巻線トランス１の２次巻線間の電位と同じであるが、図に示すように高圧負荷６が接続された場合は短絡保護兼用高圧抵抗４と高圧負荷６とで分圧される電位が出力電圧となる。
【００１２】
図に示すように、巻線トランス１の２次巻線間の電位をＥ１、短絡保護兼用高圧抵抗４の両端電位をＥＲ１とした場合、高圧出力端子５の出力電圧はＥ１−ＥＲ１となり、Ｒ１の値が大きければ出力電圧は小さくできる。
【００１３】
本発明は、短絡保護兼用高圧抵抗４の抵抗値を数十ＭΩとすることで負荷抵抗と分割される電位の出力電圧とすることができる。つまり、高圧負荷の抵抗値が小さくなり、負荷電流が増大するにつれて短絡保護兼用高圧抵抗４による電圧降下が大きくなり、出力端子５の高圧出力が下がることとなる。
【００１４】
このようなことから図２に示す従来の高圧電源に比較して、入力電流検出回路７ならびに電流制御回路８などを省略することができる。
【００１５】
【発明の効果】
本発明は前述のように、巻線トランス、出力平滑用高圧コンデンサ、高圧コンデンサ放電用高圧抵抗、短絡保護用出力端抵抗、高圧出力端子を備えた高圧電源において、前記短絡保護用出力端抵抗として数十ＭΩの高圧抵抗を用いることを特徴とするものである。
【００１６】
従って安価な構造により高圧出力の垂下特性を持たせることが可能で、部品点数が少なく、安価で小型，軽量の高圧電源を提供することができる。
【図面の簡単な説明】
【図１】本発明の実施の形態に係る高圧電源の回路構成図である。
【図２】従来例に係る高圧電源の回路構成図である。
【符号の説明】
１  巻線トランス
２  出力平滑用高圧コンデンサ
３  高圧コンデンサ放電用高圧抵抗
４  短絡保護兼用高圧抵抗
５  高圧出力端子
６  高圧負荷
９  ドライブ回路
１１  定電圧制御回路
１２  停止回路
１３  異常判定回路
１４  負荷電流検出回路
１５  グランド端子
【図１】
2004343917.tif 000003
【図２】
2004343917.tif 000004
(57)【要約】【課題】ビジネス団体に入会した会員は、主催者から提供されたビジネスに参加するしかない為、選択肢が少なく有望なビジネスに出会うチャンスが少なく、多くの収入を得ることができなかった。【解決手段】会員も情報を提供できるシステムとする。会員は会員自身の情報をビジネス団体主催者や他の会員へも提供できるものとする。【選択図】図１
2004343980.tif 000002
【特許請求の範囲】
【請求項１】
ビジネス団体において一般会員も情報を提供できることを特徴とするシステム。
【請求項２】
ビジネス団体主催者だけでなく、一般会員も情報を提供することができ、その情報を主催者や全会員に提供できることを特徴とする請求項１記載のシステム。
【発明の詳細な説明】
【０００１】
【発明の属する技術分野】
この発明は、ビジネス団体における情報提供方法に関する。
【０００２】
【従来の技術】
従来のビジネス団体における情報提供は、図２に示すように、主催者が一般会員に対して情報を提供するものである。
【０００３】
【発明が解決しようとする課題】
しかしながら、以上の従来技術によれば、一般会員は主催者から提供されたビジネスに参加するしか選択肢がなく、有望な情報を得る機会が少なかった。
そこで、この発明は、一般会員がより多くの情報を得られ、更に一般会員も情報提供できるシステムを提供することを課題とする。
【０００４】
【課題を解決するための手段】
以上の課題を解決するために、請求項１の発明は、ビジネス団体において一般会員も情報を提供できることを特徴とするシステムである。
また、請求項２の発明は、ビジネス団体主催者だけでなく、一般会員も情報を提供することができ、その情報を主催者や全会員に提供できることを特徴とするシステムである。
【０００５】
【発明の実施の形態】
この発明の一実施形態を、図１に示す。
ビジネス情報を入手した会員３は、その情報を入会しているビジネス団体の本部１や会員２に提供することができる。
【０００６】
「実施形態の効果」
この実施形態によれば、会員２は本部１から提供されるビジネスの他にも、より多くのビジネスに参加することが可能である。
【０００７】
「他の実施形態」
図１の実施形態では、会員３が情報提供できるとしているが、会員２の全ての会員が同様の権利を有するものである。
【０００８】
【発明の効果】
以上説明したように、この発明によれば、会員３も情報を提供できるので、より意欲を持って活動することができ、会員２も期待が持てるシステムである。
【０００９】
情報提供できる会員３は、入会しているビジネス団体から多くの参加者を獲得できるので、収入面においても大変期待できる。
【図面の簡単な説明】
【図１】この発明の一実施形態を示す平面図である。
【図２】従来技術を示す平面図である。
【符号の説明】
１  ビジネス団体主催者            ２  会員
３  情報提供者会員
【図１】
2004343980.tif 000003
【図２】
2004343980.tif 000004